(57)【要約】【課題】着火、燃焼状態を遠くからでも一目で確認できるとともに、視覚暖房の効果を得ることを目的とする。【解決手段】バーナー１と、前記バーナー１からの燃焼ガスと外部より取り込んだ空気を混合する燃焼室２と、温風を送出するための対流用ファン４と、温風を吹出す温風吹出し口７と、燃焼用の空気を取り込む対流用フィルター８とで構成された温風暖房部９の前記燃焼室２の前面に、複数の発光体１０と、前記複数の発光体１０の前面に一定空間を設けて取り付けられた半透光性部材１２を設けた照明ユニット１３を取り付けた温風暖房装置であって、前記温風暖房部９の制御と照明ユニット部１３の制御を連動して行うか否かを選択する選択スイッチ３１を機器の操作部に設けた構成としてある。【選択図】  図１
2005009811.tif 000002
【特許請求の範囲】
【請求項１】
バーナーと、前記バーナーからの燃焼ガスと外部より取り込んだ空気を混合する燃焼室と、温風を送出するための対流用ファンと、温風を吹出す温風吹出し口と、燃焼用の空気を取り込む対流用フィルターとで構成された温風暖房部の前記燃焼室の前面に、複数の発光体と、前記複数の発光体の前面に一定空間を設けて取り付けられた半透光性部材を設けた照明ユニットを設けた温風暖房装置において、前記温風暖房部の制御と照明ユニット部の制御を連動して行うか否かを選択する選択スイッチを機器の操作部に設けたことを特徴とする温風暖房装置。
【請求項２】
温風暖房部の制御がおやすみ運転を選択状態にあるときには、照明ユニット部の制御との連動を解除し、照明ユニット部の駆動はＯＦＦ状態に制御する制御手段を設けた請求項１記載の温風暖房装置。
【請求項３】
温風暖房部の制御により、バーナーの燃焼量が所定の状態に保たれた状態のときは、照明ユニット部の複数の発光体への通電数及び通電量も、前記燃焼量に対応したある定められた数値に連動して制御する制御手段を設けた請求項１記載の温風暖房装置。
【請求項４】
温風暖房部の制御により、バーナーの燃焼量が所定の状態に保たれた状態のときは、照明ユニット部の複数の発光体への通電数及び通電量を、前記燃焼量に対応したある定められた変動幅と変動サイクルで可変制御する制御手段を設けた請求項１または３記載の温風暖房装置。
【発明の詳細な説明】
【０００１】
【発明の属する技術分野】
本発明は、温風を吹き出して室内を暖房する温風暖房機に関するものである。
【０００２】
【従来の技術】
従来、この種の温風暖房機としては図７に示すように、例えば表示器を突出して設け、機器正面・両側面・上面より運転状態が発光により確認できる構成とした灯油を使用した温風暖房機がある。
【０００３】
図７において、１は温風暖房機本体で、２は前面上部に備えられた操作部、３は温風を吹き出すルーバー４を取り付けた温風吹き出し口、５は背面の温風取り入れ口６に取り付けられた対流用ファン、９はバーナーヘッド部１０を突出して設けられバーナー部で、１１はバーナーヘッド１０を囲み燃焼空間を形成する燃焼筒である。
【０００４】
４６は操作部２と温風吹き出し口３との間の中央部に設けらたカラー表示部で、赤色及び緑色の２色発光する発光部４７と、この発光部４７の光をカラー表示部４６の周囲に拡散させる拡散レンズ４８とにより構成されている（例えば、特許文献１参照。）。
【０００５】
【特許文献１】
特開２００１−３３６８２９号公報（第２〜３頁、第２図）
【０００６】
【発明が解決しようとする課題】
しかしながら上記従来の構成では、表示器を突出して設け、機器正面・両側面・上面より運転状態が発光により確認できるものであるが、表示器が小さいため、遠くからはその運転状態がはっきりと確認できないという課題を有していた。特にガスを使用した温風暖房機は運転音が静かになり、弱燃焼の場合は騒音が２２ｄＢと低く、燃焼しているかどうか一目で確認できないため、消し忘れし、燃焼しっぱなしの状態で外出するといったことが起こっている。
【０００７】
本発明は上記従来の課題を解決するもので、燃焼状態に対応して照明ユニット部の照明度合いを可変することで、遠くからでも一目で機器の運転状態が確認でき、かつ、燃焼中に照明ユニット部により自然の炎に近い光を提供することで、視覚的にも暖かさを感じる温風暖房機を提供することを目的としている。
【０００８】
【課題を解決するための手段】
上記従来の課題を解決するため本発明の温風暖房機は、バーナーと、前記バーナーからの燃焼ガスと外部より取り込んだ空気を混合する燃焼室と、温風を送出するための第一の対流用ファンと、温風を吹出す温風吹出し口と、燃焼用の空気を取り込む対流用フィルターとで構成された温風暖房部の前記燃焼室の前面に分離壁を設け、複数の発光体と、前記複数の発光体の前面に空間を設けて取り付けられた半透光性部材を設けた照明ユニット部とを設けたものである。
【０００９】
上記発明によれば、照明ユニット部内の複数の発光体の発光により、遠くからでもひと目で機器の運転状態が確認できるとともに、視覚暖房の効果も得ることができる。
【００１０】
つまり、前記温風暖房部の燃焼状態の制御と前記照明ユニットの照明状態の制御を一定の関係で連動制御、例えば前記温風暖房部の燃焼状態が強燃焼状態の場合は、前記照明ユニットの照明状態も最大の明るさとし、燃焼状態が最少の場合は、照明状態も最低の明るさまで輝度を落とし、常に燃焼量と連動した照明状態を作り出すことで、遠くからでも、容易に機器の運転状態を確認することができ、また、燃焼状態に連動して照明を変化させることで視覚暖房の効果も得ることができる。
【００１１】
【発明の実施の形態】
請求項１記載の発明は、バーナーと、前記バーナーからの燃焼ガスと外部より取り込んだ空気を混合する燃焼室と、温風を送出するための第一の対流用ファンと、温風を吹出す温風吹出し口と、燃焼用の空気を取り込む対流用フィルターとで構成された温風暖房部の前記燃焼室の前面に、複数の発光体と、前記発光体の前面に空間を設け取り付けられた半透光性部材で構成した照明ユニットを、前記燃焼室と分離するために設けた分離壁を介して取り付けるようにしている。
【００１２】
そして、照明ユニットの内壁にあたる分離壁の内面は複数の発光体の反射板の役目を果たすよう工夫されており、複数の発光体に通電、発光照明されると分離壁内面の反射により、複数の発光体の光が反射・拡散され、照明ユニットの半透光性部材を通し、光を遠くからもよく見えるようにしている。
【００１３】
よって、前記温風暖房部の制御部と前記照明ユニット部の制御部を連動して制御する制御手段を設けることにより、温風暖房部の燃焼状態、すなわち燃焼量と連動して照明ユニットの明るさを可変することで、温風暖房機として、燃焼状態を遠くからでも一目で確認でき、外出時の消し忘れ防止や、また点火の確認も容易にできる。
【００１４】
また、温風暖房部の制御と照明ユニット部の制御との連動を自由に選択できる選択スイッチを設けることにより、例えば、選択スイッチがＯＮ状態の場合は、温風暖房部と照明ユニット部が連動して制御されるため、燃焼状態を容易に確認することができ、選択スイッチがＯＦＦの場合は、照明ユニット部の制御は全てＯＦＦ状態で、発光体による半透光性部材部の照明はＯＦＦ状態となる。従って選択スイッチを設けることにより、照明ユニットを起動させない場合は、従来の温風暖房機と同等の省エネ運転が可能であり、また、就寝時のお休み運転時も、選択スイッチにより、照明をＯＦＦすることで、従来の温風暖房機と同等の使い勝手を確保することができる。
【００１５】
請求項２記載の発明は、おやすみ運転を設けた温風暖房部において、おやすみ運転選択中は、温風暖房部と照明ユニットとの連動制御を解除し、照明ユニットの駆動を自動的にＯＦＦ状態とすることで、使用実態に即した運転状態を選択可能となり、使い勝手をより便利にしたものである。
【００１６】
請求項３記載の発明は、温風暖房部のバーナーの燃焼量が所定の状態に保たれたとき、照明ユニット部の複数の発光体への通電数又は通電量を、前記燃焼量に対応したある一定の定められた数値に連動制御するようにしているため、温風暖房部の燃焼量と連動して、照明ユニット部の照明度合いを変化させることができ、温風暖房部の燃焼状態を遠くからでも照明ユニット部の照明度合いを見ることで、一目で確認することができる。
【００１７】
請求項４記載の発明は、温風暖房部のバーナーの燃焼量が所定の状態に保たれたとき、照明ユニット部の複数の発光体への通電数又は通電量を、前記燃焼量に対応するある一定の変動幅と変動サイクルを持って可変脈動制御するようにしているため、照明ユニット部の照明を、自然の炎が揺らいだ様に見せることで、暖房運転時、視覚的にも暖かさを感じさせる照明を提供することができる。
【００１８】
【実施例】
以下、本発明の実施例について図面に基づき説明する。
【００１９】
（実施例１）
図１は本発明の実施例１における温風暖房装置の正面断面図、図２は同温風暖房装置の側面断面図である。
【００２０】
図１において、バーナー１にて供給されたガスの燃焼を行う。燃焼により発生した排気ガスと空気を混合する燃焼室２がある。バーナー１の下方には温風３を送出するための第一の対流用ファン４を設けている。対流用ファン４の下流側には温風を導くルーバー５を取り付けた温風吹出し口７がある。ケース６の後面には対流用空気を取り入れるための網目状の対流用フィルター８があり、上記構成で温風暖房部９を形成している。
【００２１】
１０は通電時に発光する発光体で、燃焼室２の前面に、複数個設けられている。この複数の発光体１０を囲み、燃焼室２と仕切る分離壁１１が燃焼室２とある一定の空間を保って設けられている。発光体１０の前方の機器正面には、一定の空間を設けて半透光性部材１２があり、以上の構成で照明ユニット１３を形成している。
【００２２】
以上のように構成された温風暖房装置について、以下その動作・作用について説明する。
【００２３】
運転スイッチ２４をＯＮすると、  温風暖房部９は電磁弁１９、比例制御弁２０によって制御された燃料ガスを供給パイプ２１を介し、ノズル２２より、バーナー１に供給燃焼され、バーナー１近傍に設けられた点火プラグ２３の放電により点着火、燃焼し、燃焼で発生する高温の排気ガスと、燃焼室２の燃焼風路内で対流用フィルター８を通過した対流用空気が混合される。混合された温風は、対流用ファン４によって前面下部の温風吹出し口７から温風３になって送出され暖房を行なう。また照明ユニット１３は、温風暖房部９の燃焼時に複数の発光体１０が発光するように構成されている。
【００２４】
以上のように本実施例においては、照明ユニット１３が機器前面の広い面で発光し、燃焼と連動させると、遠くから一目で燃焼していることが確認できるため、点火の確認も容易になり、消し忘れによるつけっ放しで外出する等を防止でき、安全性を高めることができる。
【００２５】
また、照明ユニット１３の発光を視覚的に、自然の炎のように見せられるため、疑似火炎により使用者に視覚で暖かさを感じさせることが可能であり、省エネ効果も得ることができる。
【００２６】
また、照明ユニット１３である半透光性部材１２と発光体１０を吹き出し口７の上部より機器上部まで設けていることにより、照明ユニット１３を機器前面の広い面に設け、燃焼と連動して発光体１０を発光させると、遠くからでも発光が確認でき、燃焼していることが分かり、上記効果をより強化することができる。
【００２７】
ここで、半透光性部材１２はガラス板あるいは樹脂板で構成することで、半透光性部材１２を薄く形成でき、機器の大きさを抑制することができる。また、発光体１０を複数のＬＥＤで構成することで、安価で寿命の長く消費電力の少ないＬＥＤを複数個機器前面の広い面に配置し、点灯する箇所と数をかえたり、その通電量を変動制御することにより、容易に複数の発光体１０の光をランダムに変化させることにより、半透光性部材１２を通過する光をよりランダムなゆらぎのある全面拡散させることで、あたかも自然の炎がゆらいでいるような光に見えるため、使用者に視覚的に暖かさを感じさせることを可能とし、しかも点火や燃焼状態を遠くから容易に確認できる。
【００２８】
また、本実施例は、発光体１０と燃焼室２を仕切り、かつ発光体１０を囲む分離壁１１を設け、分離壁１１の表面に反射体を設けるか、または反射しやすい加工を施したものである。分離壁１１は、燃焼室２とはある空間を設けて取り付けられているため、燃焼に必要な対流用空気はこの間を通過して、良好な燃焼をすることができる従って、燃焼により発生する熱は、この分離壁１１により遮断され、発光体１０の温度上昇を防止する。
【００２９】
また、反射体を取り付けるか反射加工をすることで、発光体１０が発光した光りが反射して輝度が増し、より明るく見せることができる。
【００３０】
なお、図３は本発明の温風暖房装置の制御基板部の制御系ブロック図である。
【００３１】
図３において、制御基板１８ａには、温風暖房部９を制御する温風暖房制御部２５、照明ユニット部１３を制御する照明ユニット制御部２６、前記温風暖房制御部２５と前記照明ユニット制御部２６の関連を記憶し、それぞれの制御部に関連信号を送るメモリー制御部２７が構成されている。
【００３２】
制御基板１８ｂの運転スイッチ１３がＯＮすると、温風暖房制御部２５が制御し始め、電磁弁１９、比例制御弁２０、対流用ファン４を駆動する駆動用モーター２８を駆動させ、バーナー１へ燃料ガスを供給、点火電極２３部の放電で燃焼を開始する。同時に燃焼が開始したことを記憶したメモリー制御部２７は、照明ユニット制御部２６へ信号を送り、発光体１０を点灯させる。当該機器の温風暖房部９と照明ユニット部１３が駆動し運転を始めると、室温をケース６内に設けた室温センサー２９（図示せず）で検知し、制御基板１８ｂ上にある室温設定スイッチ３０（図示せず）で設定した設定温度になるよう温風暖房制御部２５を介し燃焼量を可変する。
【００３３】
さらに、メモリー制御部２７は、ガス暖房制御部２５の制御状態を記憶判断し、あらかじめ定められた前記燃焼状態に対応した照明状態を作り出す様、照明ユニット制御部に信号を送ることで、当該機器の燃焼状態と連動した照明を作りだすことができる。
【００３４】
従って、制御基板１８ｂに、運転スイッチ２４とは独立して設けた選択スイッチ３１（図１，図２には図示せず）によって、制御基板１８ａのメモリー制御部２７からの信号のうち、照明ユニット制御部２６への信号を遮断可能にすることにより、例えば、運転スイッチ２４がＯＮ状態の場合でも、温風暖房制御部２５のみが制御され、照明機能停止状態で暖房運転のみ可能にするものである。従って、当該機器が運転中は照明機能が停止しているため、省エネ運転可能であり、また就寝時、おやすみ運転中は容易に照明を消して暖房運転のみ運転することができる。
【００３５】
（実施例２）
図４は本発明の実施例２における制御系ブロック図であり、制御基板１８ｂに設けられたおやすみ運転スイッチ３２（図１，図２には図示せず）によって、当該機器がおやすみ運転を選択されると、その信号をうけ、制御基板１８ａのメモリー制御部２７からの信号のうち、照明ユニット制御部２６への信号のみ自動的に遮断し、おやすみ運転中は、自動的に照明機能を停止するものである。従って、前記請求項２記載の温風暖房装置と異なり、おやすみ運転時は選択スイツチのＯＮ・ＯＦＦをしなくても、自動的に照明機能を停止することができる。
【００３６】
（実施例３）
図５は本発明の実施例３における制御パターンを示す図で、例えば制御基板１８ａに組み込まれた温風暖房制御部２５の制御パターンが図５に示す如く運転された場合、照明ユニット制御部２６の制御パターンは、図５のように連動制御運転するものである。すなわち、温風暖房部９の燃焼量が例えば、強・中・弱運転中、照明ユニット１３の複数の発光体１０の照明状態も、温風暖房部９の燃焼段数に対応したある定められた一定の強・中・弱の通電量もしくは、強・中・弱に対応した通電数に連動制御することで、照明ユニット１３の照明度合いにより、遠くからでも容易に当該温風暖房装置の燃焼状態を容易に確認することができる。
【００３７】
（実施例４）
図６は本発明の実施例４における制御パターンを示す図で、例えば制御基板１８ａに組みこまれた温風暖房制御部２５の制御パターンが図６に示す如く運転された場合、照明ユニット制御部２６の制御パターンを図６のように制御するものである。すなわち、照明ユニット制御部２６の制御パターンは、温風暖房部９の燃焼量が強・中・弱運転中、複数の発光体１０への通電数及び通電量は、前記燃焼量に対応したある定められた変動幅と変動サイクルで可変制御することで照明輝度の強・弱を周期的に可変させることで、照明ユニット１３の半透光部材１２に写る照明をより自然の炎に近くゆらがせて写すことができる。
【００３８】
【発明の効果】
以上のように本発明によれは、機器の前面に照明ユニットを設け、燃焼状態と連動させて発光体を発光させると、遠くから一目で燃焼していることが確認できるため、点火の確認も容易になり、つけっ放しで外出する等の消し忘れを防止でき、安全性を高めることができる。また、照明ユニットの発光を炎のように見せられるため、疑似火炎により使用者に視覚で暖かさを感じさせることが可能であり、省エネ効果も得ることができる。
【図面の簡単な説明】
【図１】本発明の実施例１における温風暖房装置の正面断面図
【図２】同温風暖房装置の側面断面図
【図３】同温風暖房装置の制御部の制御系ブロック図
【図４】本発明の実施例２における温風暖房装置の制御部の制御系ブロック図
【図５】本発明の実施例３における温風暖房装置の制御パターンを示す図
【図６】本発明の実施例４における温風暖房装置の制御パターンを示す図
【図７】従来例における温風暖房装置の断面図
【符号の説明】
１  バーナー
２  燃焼室
３  温風
４  対流用ファン
７  温風吹き出し口
８  対流用フィルター
９  温風暖房部
１０  発光体
１２  半透光性部材
１３  照明ユニット
３１  選択スイツチ
【図１】
2005009811.tif 000003
【図２】
2005009811.tif 000004
【図３】
2005009811.tif 000005
【図４】
2005009811.tif 000006
【図５】
2005009811.tif 000007
【図６】
2005009811.tif 000008
【図７】
2005009811.tif 000009